(57)【要約】      （修正有）【課題】ペットボトルや空き瓶等を仮想花瓶体として利用するに際して、外的美観を高める袋体に収納した形態の花瓶を提供する。【解決手段】袋体に収納した形態の花瓶は、左右側面１１ｃ、１１ｄにガゼット部１４を形成した上端開口の縦長の筒体１１と、筒体１１の下端部を重ねて閉鎖してなる底部１２と、より形成した収納袋体１であり、収納袋体１内には花卉や造花等の茎部を挿し込み、花部を収納袋体１の上端開口部１３から露出させるペットボトル等の仮想花瓶体を収納し、ペットボトル等の廃棄物を利用した外的美観を高める。【選択図】図１
0003231259.tif 000002
【実用新案登録請求の範囲】
【請求項１】
左右側面にガゼット部を形成した上端開口の縦長の筒体と、
筒体の下端部を重ねて閉鎖してなる底部と、
より形成した収納袋体であり、
収納袋体内には花卉や造花等の茎部を挿し込み、
花部を収納袋体の上端開口部から露出させるペットボトル等の仮想花瓶体を収納し、
ペットボトル等の廃棄物を利用した外的美観を高める袋体に収納した形態の花瓶。
【請求項２】
筒体を形成する４つの面のうち対向する２つの面をそれぞれ右側部と左側部とし、
その両側部を前記筒体の内方向へ折り曲げ可能なガゼット部とすると共に、
ガゼット部を有しない２つの面をそれぞれ正面部と背面部とし、
正面部又背面部はどちらか一方に底部を上方へ折返す折返し底部を形成し筒体を全体折畳み可能としたことを特徴とした請求項１に記載の袋体に収納した形態の花瓶。
【請求項３】
収納袋体の上端縁付近には、複数の挿通孔を形成し、挿通孔に紐体を挿通して収納袋体開口部に締付け部を形成したことを特徴とした請求項１又は２に記載の袋体に収納した形態の花瓶。
【考案の詳細な説明】
【技術分野】
【０００１】
本考案は、ペットボトル等を縦型の袋体に入れてそのまま花瓶として使用できるように構成した花瓶に関する。
【背景技術】
【０００２】
従来、それぞれの使用目的を終えたペットボトルや瓶や缶等の容器類は、花瓶として再利用されることがあった。
【０００３】
この花瓶は、そのままペットボトル等の容器外形の状態で使用すると美観上全く装飾されない無機質の花活け道具に過ぎなくなる。
【０００４】
そこで、そこで花瓶とするペットボトルに加工を施し、外的美観を高めて装飾的外形に高めた花瓶（特許文献１参照）や、紙製の組立式カバーの内部にペットボトルや瓶等を収納して花瓶機能を果たして安定性と外的美観を高める花瓶用容器（特許文献２参照）等が開示されている。
【先行技術文献】
【特許文献】
【０００５】
【特許文献１】実用新案登録第３１９７６５０号公報
【特許文献２】特開２００３−１９１９４２号公報
【考案の概要】
【考案が解決しようとする課題】
【０００６】
特許文献１に記載の花瓶は、使用済みのペットボトルを上下に２分割して加工形成するものであるため、高さの調節が可能であり、一目でペットボトルであると判断されないような外的美観を呈することが可能となる。
【０００７】
しかしながら、特許文献１に記載された花瓶は、ペットボトルを上下に２分割加工することで高さの調節を可能とし、背の低い花卉に合わせて調節することができるものの、背の高い花卉には対応し得ない。
【０００８】
また、ペットボトルの飲み口が花卉の挿入口となるため、挿入できる花卉の量が限定され、フラワーアレンジメントの趣向が限定されてしまう。
【０００９】
さらには、容器となるペットボトルの外観形状が近年の飲料商品の多様化に合わせて、差別化されており、従って必ずしも特許文献１に記載された花瓶のように上下に２分割加工して利用しやすいようにできるとは限らない。
【００１０】
特許文献２に記載の花瓶用容器は、組み立て式の紙製容器としており、組み立てた箱体の内部にペットボトルや瓶といった容器類を収納することで、花瓶全体の安定感が増すことができると共に、元の容器類の外観を隠すことで花瓶としての高い美観を有することができるようにしている。
【００１１】
しかしながら、特許文献２に記載された花瓶用容器は、安定性を重視のため、紙製のカバー等の開口部に容器の口部かつむき出しで突出しているため、紙製カバー等の開口部からペットボトルや瓶等が露出状態となり、全体の美観を損なう虞があった。
【００１２】
また、上述した容器の口部を突出露見した構成としたことで、特許文献１に記載された花瓶と同様に、容器の口部が花卉の挿入口に限定され、内部に収納する花卉の量が限定されて、フラワーアレンジメントの趣向幅を狭くする虞があった。
【００１３】
さらに、ペットボトル等を収納するものが組み立て式の箱体であるため、組み立てと分解とを繰り返し行う煩わしさがあった。
【００１４】
また、組み立て式であるため、使用者によって組み立て後の美観に差異が生じ、すべての美観を一定の水準とすることが難しくなる虞があった。
【００１５】
本考案は、斯かる事情に鑑みてなされたものであって、左右側面にガゼット部を形成した上端開口の縦長の筒体と、筒体の下端部を重ねて閉鎖してなる底部と、より形成した収納袋体であり、収納袋体内には花卉や造花等の茎部を挿し込み、花部を収納袋体の上端開口部から露出させるペットボトル等の仮想花瓶体を収納し、ペットボトル等の廃棄物を利用した外的美観を高める袋体に収納した形態の花瓶を提供せんとする。
【課題を解決するための手段】
【００１６】
本考案にかかる袋体に収納した形態の花瓶は、左右側面にガゼット部を形成した上端開口の縦長の筒体と、筒体の下端部を重ねて閉鎖してなる底部と、より形成した収納袋体であり、収納袋体内には花卉や造花等の茎部を挿し込み、花部を収納袋体の上端開口部から露出させるペットボトル等の仮想花瓶体を収納し、ペットボトル等の廃棄物を利用しつつ外的美観を高めることを特徴とする。
【００１７】
また、本考案にかかる装飾包装用袋体は以下の点でも特徴を有する。
（２）筒体を形成する４つの面のうち対向する２つの面をそれぞれ右側部と左側部とし、その両側部を前記筒体の内方向へ折り曲げ可能なガゼット部とすると共に、ガゼット部を有しない２つの面をそれぞれ正面部と背面部とし、正面部又背面部はどちらか一方に底部を上方へ折返す折返し底部を形成し筒体を全体折畳み可能としたこと。
（３）収納袋体の上端縁付近には、複数の挿通孔を形成し、挿通孔に紐体を挿通して収納袋体開口部に締付け部を形成したこと。
【考案の効果】
【００１８】
請求項１に記載の考案よれば、上端開口の縦長の収納袋体としていることで、収納袋体内部にペットボトルや瓶や缶等の仮想花瓶体を容易に収納することができ、外的美観を高めることができる効果がある。
【００１９】
また、収納袋体は、左右側面にガゼット部を形成した上端開口の縦長の筒体と筒体の下端部を重ねて閉鎖してなる底部とより形成したことで、内部に収納される仮想花瓶体がどのような形状であっても収納を可能とし外的美観を高めることができる。
【００２０】
請求項２に記載の考案によれば、両側部にガゼット部を形成すると共に、折返し可能な折返し底部を形成したことにより、筒体を全体折畳み可能となり、未使用時に嵩張ることなく、収納や販売のスペースを最小限とすることができる。
【００２１】
請求項３に記載の考案によれば、収納袋体の上端縁付近には、複数の挿通孔を形成し、挿通孔に紐体を挿通して収納袋体開口部に締付け部を形成したことで、紐体を結び収納袋体上端部を締め付け収納袋体内の仮想花瓶体が視認されることがなく、全体の外的美観を損なわない効果がある。
【００２２】
また、収納袋体の上端縁付近の挿通孔に紐体を挿通していることで、紐体を持ち手として持ち運びを容易とする効果がある。
【図面の簡単な説明】
【００２３】
【図１】（ａ）本発考案の収納袋体を示す上方斜視図、（ｂ）本考案の収納袋体を示す下方斜視図である。
【図２】本考案の収納袋体を分解した状態を示す模式的分解図である。
【図３】本考案の収納袋体の折り畳み方を説明する説明図である。
【図４】本考案の収納袋体内に仮想花瓶体を収納した状態を示す模式的斜視図である。
【図５】本考案の収納袋体の使用状態を示す模式的斜視図である。
【図６】本考案の収納袋体にかかる他の実施例として蓋体を設けた状態を示す模式的斜視図である。
【図７】本考案の収納袋体にかかる他の実施例として複数の紐体を設けた状態を示す模式的斜視図である。
【図８】本考案の収納袋体にかかる他の実施例として複数の紐体を持ち手とする態様を示す模式的斜視図である。
【考案を実施するための形態】
【００２４】
この考案の要旨は、左右側面にガゼット部を形成した上端開口の縦長の筒体と、筒体の下端部を重ねて閉鎖してなる底部と、より形成した収納袋体であり、収納袋体内には花卉や造花等の茎部を挿し込み、花部を収納袋体の上端開口部から露出させるペットボトル等の仮想花瓶体を収納し、ペットボトル等の廃棄物を利用しつつ外的美観を高めることにある。
【００２５】
また、筒体を形成する４つの面のうち対向する２つの面をそれぞれ右側部と左側部とし、その両側部を前記筒体の内方向へ折り曲げ可能なガゼット部とすると共に、ガゼット部を有しない２つの面をそれぞれ正面部と背面部とし、正面部又背面部はどちらか一方に底部を上方へ折返す折返し底部を形成し筒体を全体折畳み可能としたことにも特徴を有する。
【００２６】
また、収納袋体の上端縁付近には、複数の挿通孔を形成し、挿通孔に紐体を挿通して収納袋体開口部に締付け部を形成したことにも特徴を有する。
【００２７】
［１.収納袋体の概略的構成について］
以下、本考案の実施例にかかる収納袋体の概略構成について、図面に基づき詳説する。図１は収納袋体の全体を示す説明図、図２は収納袋体の分解状態を示す説明図、図３は収納袋体の折り畳み方を示す説明図、図４は仮想花瓶体を収納袋体内部に収納した状態を示す説明図である。
【００２８】
本考案の袋体に収納した形態の花瓶Ｍにかかる収納袋体１は、図１に示すように、左右側面１１ｃ、１１ｄにガゼット部１４を形成した上端開口の縦長の筒体１１と、筒体１１の下端部を重ねて閉鎖してなる底部１２と、より構成している。
更に、収納袋体１の上縁部付近には、複数の挿通孔２１と、挿通孔２１に挿通する紐体２２と、を備え収納袋体開口部１３に締付け部２を形成している。
【００２９】
筒体１１は、図１及び図２に示すように、略長方形の正面部１１ａと、正面部１１ａに対向し同一形状とした背面部１１ｂと、正面部１１ａの右側縁と背面部１１ｂの左端縁に介在し略長方形の右側部１１ｃと、右側部１１ｃに対向し同一形状とした左側部１１ｄとより成形される。
【００３０】
また、右側部１１ｃ及び左側部１１ｄの中央部分には左右に等分し筒体内方へ向けて折り曲げ自在としたガゼット部１４を形成している。
【００３１】
上述した筒体１１は、可撓性を有するシート状部材であればどのような素材が用いられてもよく、例えば紙や合成樹脂シート等が考えられ、紙を基材としてビニール等で表面をコーティングしたものでもよい。
【００３２】
底部１２は、筒体１１の下端部を折り曲げ重ね合わせることで形成している。
すなわち底部１２は、筒体１１と同素材であり一体として形成されており、更に複数のシート状部材を重ね合わせていることで、後述する仮想花瓶体３を収納した状態で持ち上げた場合でも重量に耐えることができる構成としている。
【００３３】
また、底部１２は、図３に示すように、正面部１１ａ又は背面部１１ｂのどちらかに設けた折返し線１５によって全体を上方へ折返し可能とした折返し底部１６とすることで、上述したガセット部１４と合わせて、筒体１１を折畳み化可能に構成している。
【００３４】
折り畳むことが可能となることで、未使用時の嵩を最小限とすることができ、管理が容易となる効果がある。
【００３５】
開口部１３は、筒体１１上端を塞がず開放状態とすることで形成され、収納袋体１としたときに後述する仮想花瓶体３を上方より出し入れするための出入口としている。
【００３６】
開口部１３は、後述する仮想花瓶体３を上方から出し入れ可能な大きさであればよく、開口部１３の寸法は、上述した筒体１１の断面の大きさ、すなわち正面部１１ａ、背面部１１ｂ、右側部１１ｃ及び左側部１１ｄの幅員によって決められる。
【００３７】
締付け部２は、図４に示すように、複数の挿通孔２１と、挿通孔２１に挿通する紐体２２と、より構成され、紐体２２を結ぶことで筒体１１上端に設けた開口部１３の面積を狭くすることができる。
【００３８】
より詳しくは、収納袋体１の上端縁付近、すなわち開口部１３のやや下方位置に複数穿設した小孔を挿通孔２１とし、その挿通孔２１に順次紐体２２を挿通し、紐体２２で開口部１３を縛るように結ぶことで、筒体１１の上端開口部１３の面積及び筒体１１の上方の体積を小さくすることができる。
【００３９】
筒体１１の上端開口部１３の面積及び筒体１１の上方の体積を小さくすることで、後述する仮想花瓶体３を収納した際に上方からの視認を妨げ、外的美観をより高めると同時に、仮想花瓶体３の上部を固定し収納袋体１内部で転倒することを防ぐことができる。
【００４０】
本実施例では、挿通孔２１を筒体１１の４面に２つずつ等間隔に穿設したものを例に挙げているが、実際にはこれに限らず、挿通孔２１の位置や数は使用者の好みによって穿設されるものであってよい。
【００４１】
また、紐体２２の本数も使用者によって任意に変更することができ、例えばフラワーアレンジメントのイメージに合わせて変更され、複数の色の紐体２２を同一の挿通孔２１に挿通したり挿通孔２１の数を多くし複数本の紐体２２を別々の挿通孔２１へ挿通したりすることが考えられる。
【００４２】
また、紐体２２は、持ち手として使用することで収納袋体１を手に提げ移動させるも考えられる。
その際には、後述する仮想花瓶体３を収納した状態であってもその重量に耐えられるように挿通孔２１に対し補強を行うとよい。
補強方法としては、例えば、挿通孔２１にハトメ金具を使用する場合や、小孔の筒体１１内方側に補強用の丸穴シールを貼る場合等が考えられる。
【００４３】
紐体２２は、挿通孔２１へ挿通可能な細長手状のものであればどのようなものでもよく、革や合成皮革や合成樹脂や布製のリボン等でもよく、収納袋体１の表面装飾や花卉Ｆを活ける際のフラワーアレンジメント等に合わせて適宜変更される。
【００４４】
［２.実際の使用について］
次に本考案にかかる袋体に収納した形態の花瓶Ｍの使用について図面を用い詳説する。
図５は実際に花卉を活けた状態を示す説明図である。
【００４５】
収納袋体１の使用に際しては、図４及び図５に示すように、ペットボトルや瓶といった仮想花瓶体３を内部に収納することで袋体に収納した形態の花瓶Ｍとし、花卉Ｆを活けて使用する。
以下、仮想花瓶体３がペットボトルである場合を例に挙げ説明する。
【００４６】
仮想花瓶体３は、上部に設けた円形状の開口部３１、すなわちペットボトルの飲み口部分を花卉Ｆの挿入口とすると共に活けるために必要な水Ｗや栄養剤等の注ぎ口としている。
【００４７】
ペットボトルの飲み口を花卉Ｆの挿入口としていることで、花卉Ｆを活けた際に、収納袋体１の中央に花卉Ｆが集合し、活ける人の技術に拘わらず見栄えをよくすることができる。
また、ペットボトルは、注ぎ口が狭いため、水Ｗが空気に触れる面積が小さく、夏場の暑さや冬場の暖房使用時の乾燥状態であっても揮発を最小限に抑えることができる。
【００４８】
また、仮想花瓶体３をペットボトルとした際には、その加工のしやすさから上部を切欠して開口部３１を広くすることもできる。
開口部３１を広くすることで、活けることのできる花卉Ｆの本数を増やすことができると共に、フラワーアレンジメント幅を広くしより本格的な生け花を楽しむことができる。
【００４９】
上述してきたように、袋体に収納した形態の花瓶Ｍは、花卉Ｆを活けるための仮想花瓶体３を収納袋体１内部に収納することで高い外的美観を得ることができるため、仮想花瓶体３がどのようなものであってもよく誰しもが容易に生け花を楽しむことができる。
そのため、使用場面も限定されることなく様々な状況に応じて使用することができる。
【００５０】
例えば、病院へお見舞いに行く際には、生花の切り花を持参する場合が多いが、活けるための花瓶は別途用意しなくてはならないことが多い。
しかしながら、ガラスや陶器等で作られる花瓶を持参するのは容易なことではない。
また、ガラスや陶器等の花瓶は、落下や物をぶつけてしまう等で割れる虞があり、子どもや高齢者には危険となりうる。
【００５１】
そのため、お見舞いの場面では、用意が簡単であり廃棄の際にも容易なペットボトル等の空容器を仮想花瓶体３として用いることが望ましい。
しかし、仮想花瓶体３とするペットボトル等をそのまま飾ることは、一時的かつ簡易的な使用であっても外的美観が悪く好ましいとは云えない。
【００５２】
そこで、本考案にかかる収納袋体１の内部に仮想花瓶体３を収納することで、高い外的美観を得られる。
また、一時的かつ簡易的な使用であっても、廃棄が容易であったり持ち帰る際に折り畳めたりといった不要となった際の片づけが容易となる利点がある。
【００５３】
また、結婚披露宴等での使用も考えられる。
結婚披露宴では、会場に花卉Ｆによる飾りが用意されることが多く、宴の終わりには参列者へ花卉Ｆの持ち帰りを促す場合がある。
【００５４】
その際、花卉Ｆを花束のようにラッピングして持ち帰ることが多いが、包む手間がかかることや遠方からの参列では持ち帰ることが困難であるといった問題があった。
【００５５】
しかしながら、本考案に係る収納袋体１では、内部に収納した仮想花瓶体３に花卉Ｆを挿入し活けた状態で紐体２２を結ぶだけで持ち帰りのラッピングとすることができ、包む手間がかからない。
【００５６】
また、内部に収納した仮想花瓶体３は、ペットボトル等の容器であるため、水Ｗを入れ花卉Ｆを活けた状態で持ち帰ることができ、長距離の移動でも花卉Ｆが枯れる虞がない。
更には、内部に収納する仮想花瓶体３はどのようなものでもよいため、持ち帰る際に比較的に軽い容器を仮想花瓶体３として用意することで長距離の移動でも苦になりにくい利点がある。
【００５７】
また、仮想花瓶体３は、用意した収納袋体１に収まる大きさのものであればよく、用意することが容易であり、より参列者への花卉Ｆの持ち帰りを勧めやすくなる効果がある。
持ち帰る参列者は、紐体２２を持ち手として持ち帰りが容易かつ自宅でそのまま飾れる利点がある。
【００５８】
また、花卉Ｆの販売店舗の場合であっても、持ち帰りの包装に使用することで、購入者が持ち帰りやすくそのまま飾れることで、花瓶を用意する必要がなく、花卉Ｆの購入をより気軽に行える効果がある。
【００５９】
また、収納袋体１は折畳み可能としているため、通常の包装袋と同じように大量に保管することができ、仮想花瓶体３も薄い樹脂製のものとすることで同時に折り畳み嵩張ることなく保管することも可能となる。
【００６０】
収納袋体１は、素材を限定しないため、表層に様々な装飾を施すことができ、用途に合わせた装飾とすることでより外的美観に付加価値を与えることができる。
【００６１】
例えば、模様や絵を印刷することが可能であり、結婚披露宴では新郎新婦の写真を印刷したり企業が広告を印刷して配布したりといった演出が可能となる。
更には、素材を紙とすることで、印刷だけでなく手描きの絵や文字を入れることも可能であり、お見舞いの際に寄せ書き等のメッセージを書き込むことが可能となる。
【００６２】
上述してきたように、本考案にかかる袋体に収納した形態の花瓶Ｍは、ペットボトル等の容器を仮想花瓶体３とし、収納袋体１内へ収納することで、仮想花瓶体３の外観を隠し、外的美観を高めることが可能となる構成としているため、様々な場面での使用を想定することができる。
【００６３】
［３.他の実施例について］
次に本考案にかかる収納袋体の他の実施例について図を用いて詳説する。
図６は収納袋体に蓋体を設けた状態を示す説明図、図７は複数の紐体を備えた状態を示す説明図、図８は複数の紐体を持ち手として使用する形態を示す説明図である。
【００６４】
本考案にかかる収納袋体１の他の実施例として、図６に示すように、上端部に設けた開口部１３の内側に蓋体４を設けることが考えられる。
【００６５】
蓋体４は、開口部１３の内側で上端縁よりやや下方位置に設けられ、平面視略長方形で開口部１３の形状とほぼ同形状としており、長方形の周辺のうち１辺を筒体１１内と一体としている。
【００６６】
上述の構成により、仮想花瓶体３を挿入する際に妨げとならず、また、折り畳む際にも平坦状にすることが可能となる。
【００６７】
また、蓋体４には開口部４１を有しており、例えばペットボトルの飲み口を突出させることで内部に収納した仮想花瓶体３をより安定させることができる。
【００６８】
また、仮想花瓶体３の開口部３１よりも小さい開口とした際には、花卉Ｆを任意の位置にから突出させることができアレンジメントを容易とすることができる。
【００６９】
また、本考案にかかる収納袋体１の他の実施例として、図  及び図  に示すように、紐体２２を複数とすることも考えられる。
【００７０】
紐体２２を複数とすることで、仮想花瓶体３の形状に合わせより収納袋体１の開口部１３を狭めることができる。
【００７１】
すなわち、図７に示すように、洗剤容器等の開口部３１が中心位置にない形状の容器を仮想花瓶体３とした場合、開口部３１を有さない側の紐体２２をよりきつく結び、看者が上方から観た際に視認できないようにすることが可能となる。
【００７２】
また、図８に示すように、複数の紐体２２のうちのいくつかを、収納袋体１の内方側に輪形状になるように形成し、持ち手２２ａとすることで、より持ち運びが容易とすることができ、また、運び終えると結び目を解くことなく収納袋体１の内部に収納することで、外的美観を害することもない。
【００７３】
以上、本考案の好ましい実施の形態について説明したが、本考案は係る特定の実施形態に限定されるものではなく、実用新案登録請求の範囲に記載された本考案の要旨の範囲内において、種々の変形・変更が可能である。
【符号の説明】
【００７４】
Ｍ        袋体に収納した形態の花瓶
Ｆ        花卉
Ｗ        水
１        収納袋体
１１      筒体
１１ａ    正面部
１１ｂ    背面部
１１ｃ    右側部
１１ｄ    左側部
１２      底部
１３      開口部
１４      ガゼット部
１５      折返し線
１６      折返し底部
２        締付け部
２１      挿通孔
２２      紐体
３        仮想花瓶体
３１      開口部
４        蓋体
４１      開口部
２２ａ    持ち手
【図１】
0003231259.tif 000003
【図２】
0003231259.tif 000004
【図３】
0003231259.tif 000005
【図４】
0003231259.tif 000006
【図５】
0003231259.tif 000007
【図６】
0003231259.tif 000008
【図７】
0003231259.tif 000009
【図８】
0003231259.tif 000010